(57)【特許請求の範囲】
【請求項１】
直流電源と、該直流電源の一端及び他端間に接続された第１及び第２のスイッチング素子の直列回路と、前記第１及び第２のスイッチング素子の接続中点と前記直流電源の他端との間に接続されたインダクタンス及び第１のコンデンサの直列共振回路と、前記インダクタンス及び第１のコンデンサの接続中点と前記直流電源の他端との間に接続された第２のコンデンサ、放電管及び電流検出用の抵抗器の直列回路と、前記第１及び第２のスイッチング素子を前記放電管の電流が設定値と等しくなるようにスイッチング信号の周波数を制御する制御回路とを有する放電管点灯装置において、
前記第１及び第２のスイッチング素子に供給するスイッチング信号の周波数を変えて、前記直列共振回路の出力電圧を変え、前記放電管に流れる電流を変えて調光する第１の調光手段と、
前記直列共振回路の出力電圧を一定とし、前記放電管の点灯状態と消灯状態との時間的割合を変えて調光する第２の調光手段とを設け、
前記第１及び第２の調光手段を輝度に応じた調光信号により切換えて使用するようにし、前記放電管の連続的輝度調整範囲を広げるようにしたことを特徴とする放電管点灯装置。
【請求項２】
請求項１記載の放電管点灯装置において、
前記第２の調光手段は、前記第１及び第２のスイッチング素子に供給するスイッチング信号の周波数が前記放電管に定格電流を流す周波数と前記放電管に放電維持電圧以下の電圧を供給する周波数とを遷移するようにしたことを特徴とする放電管点灯装置。
【発明の詳細な説明】
【０００１】
【発明の属する技術分野】
本発明は例えば液晶表示装置のバックライト装置として使用して好適な放電管点灯装置に関する。
【０００２】
【従来の技術及び発明が解決しようとする課題】
一般に液晶表示装置においては、バックライト装置の輝度を調整して、この液晶表示装置の画面の輝度を調整する如くしている。
【０００３】
従来、この液晶表示装置のバックライト装置として使用されている放電管点灯装置として図３に示す如きものが提案されている。
【０００４】
図３において、１は直流電源を示し、この直流電源１の正極をスイッチング素子を構成する電界効果トランジスタ（以下ＦＥＴという）２のドレインに接続し、このＦＥＴ２のソースをスイッチング素子を構成するＦＥＴ３のドレインに接続し、このＦＥＴ３のソースをこの直流電源１の負極に接続すると共にこの負極を接地する。
【０００５】
また、図３において、４は制御電圧に応じた周波数のスイッチング信号を発生する電圧−周波数（Ｖ／Ｆ）変換回路を示し、電圧−周波数変換回路４に得られる所定周波数範囲に亘って周波数が変化するスイッチング信号をドライブ回路５を介してスイッチング素子としてのＦＥＴ２及び３のゲートに供給し、このＦＥＴ２及び３を交互にオン・オフする如くする。
【０００６】
このＦＥＴ２のソース及びＦＥＴ３のドレインの接続中点を直列共振回路６を構成するコイル６ａ及びコンデンサ６ｂの直列回路を介して直流電源１の負極に接続する。この直列共振回路６の周波数−電圧特性は図４曲線ａに示す如くであり、この共振周波数をｆ0 とする。
【０００７】
このコイル６ａ及びコンデンサ６ｂの接続中点をコンデンサ７、バックライト用光源を構成する蛍光灯等の放電管８及び電流検出用の抵抗器９の直列回路を介して直流電源１の負極に接続する。
【０００８】
この放電管８及び電流検出用の抵抗器９の接続中点をダイオード１０ａ及びコンデンサ１０ｂより成る放電管電流検出回路１０の入力側に接続し、この放電管電流検出回路１０の出力側を放電管電流エラーアンプ１１を構成する演算増幅回路１１ａの非反転入力端子＋に接続する。
【０００９】
放電管８の輝度を所望の輝度にするための調光信号を調光信号入力端子１２に供給するようにすると共にこの調光信号入力端子１２を、この放電管電流エラーアンプ１１を構成する演算増幅回路１１ａの反転入力端子−に接続し、この放電管電流エラーアンプ１１の出力側に得られ誤差信号を制御電圧として電圧−周波数変換回路４に供給し、この電圧−周波数変換回路４において、この調光信号に応じた周波数のスイッチング信号を発生する如くする。
【００１０】
この場合、スイッチング素子としてのＦＥＴ２及び３のゲートに供給されるスイッチング信号の周波数（スイッチング周波数）は図４に示す如く、直列共振回路６の共振周波数ｆ0 より高い周波数となる如くする。
【００１１】
この図３従来例においては、図４に示す如く直列共振回路６の共振周波数ｆ0 より高い周波数のスイッチング信号でスイッチング素子としてのＦＥＴ２及び３をオン・オフさせ、このスイッチング信号の周波数を調光信号に応じて変えてコンデンサ６ｂの両端に得られる交流電圧値を変え、この交流電圧を放電管８に供給して点灯させ、この交流電圧値を変えて放電管電流を変え輝度を調整することができる。
【００１２】
然しながら、放電管８は、図５に放電管８の放電電流の周囲温度及び相対輝度の関係の例を示す如く、この放電管８は温度特性により放電管電流を絞った状態では、低温において放電を維持できなくなり消灯してしまうので、図３従来例の放電管点灯装置では調光範囲をこの放電管８の輝度の５０％以下までとすることは困難であった。
【００１３】
また、放電管点灯装置の他の調光手段として、この図３に示す如き構成において、放電管８を定格電流（輝度１００％）で点灯するようにし、点灯状態と消灯状態とをフリッカーの影響がない数１００Ｈｚ以上で交互に繰り返し、時間的割合を変えることで視覚上輝度を変化させるようにしたもの（デューティ調光）がある（この概念図を図６に示す。）。
【００１４】
このデューティ調光による放電管点灯装置は消灯させる手段として、図３に示す如き共振回路６への入力電圧をオフさせたり、スイッチング素子２，３のスイッチング動作を停止させたりすることで可能である。
【００１５】
この放電管８の消灯状態から放電開始させ定格点灯させるには、放電管電流のエラーアンプ１１の周波数特性や、放電管電流の検出回路１０の時定数等の制御遅れにより、消灯状態から瞬時に周波数を下げると周波数が下がりすぎ（オーバーシュート）、スイッチング素子２，３に過大な電流が流れたり、放電管の最大定格電流をオーバーしたりし、デバイスに対し過大なストレスが加わり、信頼性上問題がある。
【００１６】
このため、放電管８の消灯状態から定格点灯状態までの周波数遷移には制御系の時間遅れを考慮した時定数を持たせる必要がある。
【００１７】
この場合、消灯時のスイッチング信号の周波数と定格点灯時のスイッチング信号の周波数の遷移幅が大きいとその状態の遷移時間が長くなり、消灯状態より定格点灯までの時間がデューティー調光７０％のときのオン時間、周期例えば２００Ｈｚ時の１．５ｍＳ以内にこの放電管８が点灯できないことがあり、このデューティ調光では１００％〜７０％の範囲の輝度調光が連続的にできない不都合があった。
【００１８】
本発明は斯る点に、輝度が例えば３０％〜１００％の範囲と広い範囲で連続的に調光できるようにすることも目的とする。
【００１９】
【課題を解決するための手段】
本発明放電管点灯装置は、直流電源と、この直流電源の一端及び他端間に接続された第１及び第２のスイッチング素子の直列回路と、この第１及び第２のスイッチング素子の接続中点とこの直流電源の他端との間に接続されたインダクタンス及び第１のコンデンサの直列共振回路と、このインダクタンス及び第１のコンデンサの接続中点とこの直流電源の他端との間に接続された第２のコンデンサ、放電管及び電流検出用の抵抗器の直列回路と、この第１及び第２のスイッチング素子をこの放電管の電流が設定値と等しくなるようにスイッチング信号の周波数を制御する制御回路とを有する放電管点灯装置において、この第１及び第２のスイッチング素子に供給するスイッチング信号の周波数を変えて、この直列共振回路の出力電圧を変え、この放電管に流れる電流を変えて調光する第１の調光手段と、この直列共振回路の出力電圧を一定とし、この放電管の点灯状態と消灯状態との時間的割合を変えて調光する第２の調光手段とを設け、この第１及び第２の調光手段を輝度に応じた調光信号により切換えて使用するようにし、この放電管の連続的輝度調整範囲を広げるようにしたものである。
【００２０】
本発明によれば、放電管点灯装置において、第１及び第２のスイッチング素子に供給するスイッチング信号の周波数を変えて、この放電管に流れる電流を変えて調光する第１の調光手段を設けると共にこの放電管の点灯状態と消灯状態との時間的割合を変えて調光する第２の調光手段を設けたので、この放電管の輝度調整範囲を広げることができる。
【００２１】
【発明の実施の形態】
以下、図１及び図２を参照して本発明放電管点灯装置の実施の形態の例について説明しよう。図１において、図３に対応する部分については同一符号を付して示す。
【００２２】
図１例において、１は直流電源を示し、この直流電源１の正極を一方のスイッチング素子を構成するＦＥＴ２のドレインに接続し、このＦＥＴ２のソースを他方のスイッチング素子を構成するＦＥＴ３のドレインに接続し、このＦＥＴ３のソースをこの直流電源１の負極に接続すると共にこの負極を接地する。
【００２３】
また、この図１において、４は制御電圧に応じた周波数のスイッチング信号を発生する電圧−周波数（Ｖ／Ｆ）変換回路を示し、この電圧−周波数変換回路４に得られる所定周波数範囲に亘って周波数が変化するスイッチング信号をドライブ回路５を介してスイッチング素子としてのＦＥＴ２及び３のゲートに供給し、このＦＥＴ２及び３を交互にオン・オフする如くする。
【００２４】
このＦＥＴ２のソース及びＦＥＴ３のドレインの接続中点を直列共振回路６を構成するコイル６ａ及びコンデンサ６ｂの直列回路を介して直流電源１の負極に接続する。この直流共振回路６の周波数−電圧特性は図４曲線ａに示す如く、共振周波数ｆ0 を頂点とする山型の曲線である。
【００２５】
このコイル６ａ及びコンデンサ６ｂの接続点をコンデンサ７、バックライト用光源を構成する蛍光灯等の放電管８及び電流検出用の抵抗器９の直列回路を介して直流電源１の負極に接続する。
【００２６】
この放電管８及び電流検出用の抵抗器９の接続中点をダイオード１０ａ及びコンデンサ１０ｂより成る放電管電流検出回路１０の入力側に接続し、この放電管電流検出回路１０の出力側を放電管電流エラーアンプ１１を構成する演算増幅回路１１ａの非反転入力端子＋に接続する。
【００２７】
この放電管電流エラーアンプ１１の出力側に得られる誤差信号を制御電圧として電圧−周波数変換回路４に供給し、この電圧−周波数変換回路４においては後述する調光信号に応じた周波数のスイッチング信号を発生する。
【００２８】
図１において、１２は放電管８の輝度を所望の輝度にするための調光信号を供給する調光信号入力端子を示し、この調光信号入力端子１２に供給される調光信号は輝度に応じた電圧例えば輝度１００％〜輝度３０％に対応したＶ１００〜Ｖ３０で連続的に可変する電圧とする。
【００２９】
この調光信号入力端子１２に供給される調光信号を第１の切換スイッチ２１の一方の固定接点２１ａに供給すると共にこの第１の切換スイッチ２１の他方の固定接点２１ｂを調光信号の輝度１００％の電圧Ｖ１００と同じ電圧の電池２２を介して接地し、この第１の切換スイッチ２１の可動接点２１ｃを放電管電流エラーアンプ１１を構成する演算増幅回路１１ａの反転入力端子−に接続する如くする。
【００３０】
また、調光信号入力端子１２に供給される調光信号を調光切換制御回路２３を構成する演算増幅回路２３ａの一方の入力端子に供給すると共にこの演算増幅回路２３ａの他方の入力端子を調光信号の輝度７０％の電圧Ｖ７０と同じ電圧の電池２３ｂを介して接地する。
【００３１】
この調光切換制御回路２３の出力側に得られる制御信号により第１の切換スイッチ２１の可動接点２１ｃを切換制御する如くする。即ち、調光信号が輝度１００％〜７０％の電圧Ｖ１００〜Ｖ７０のときは、この可動接点２１ｃを一方の固定接点２１ａに接続し、調光信号入力端子１２に供給される調光信号が放電管電流エラーアンプ１１を構成する演算増幅回路１１ａの反転入力端子−に供給し、このときはこの電圧−周波数変換回路４の出力側にこの調光信号に応じた周波数のスイッチング信号を得る如くする。
【００３２】
また、この調光信号が輝度７０％以下の電圧Ｖ７０以下となったときは、この可動接点２１ｃを他方の固定接点２１ｂに接続し、輝度１００％の電圧Ｖ１００の電池２２の電圧Ｖ１００を放電管電流エラーアンプ１１を構成する演算増幅回路１１ａの反転入力端子−に供給し、このときはこの電圧−周波数変換回路４の出力側に輝度１００％の定格電流が放電管８に流れる周波数のスイッチング信号を得る如くする。
【００３３】
本例においては、第２の切換スイッチ２４を設け、この一方の固定接点２４ａを放電管８の放電が維持できなくなった所の周波数（高い周波数）のスイッチング信号に変換される制御電圧に相当する電圧値ＶＮＬの電池２５を介して接地すると共にこの一方の固定接点２４ａを接続スイッチ２６を介して接地する。
【００３４】
この接続スイッチ２６は調光切換制御回路２３の出力信号で制御される如くなされ、調光信号が輝度１００％〜７０％の電圧Ｖ１００〜Ｖ７０のときはオンとし、このときは第２の切換スイッチ２４の一方の固定接点２４ａの電圧は零とされ、また調光信号が輝度７０％以下の電圧Ｖ７０以下のときはこの接続スイッチ２６はオフとされる。
【００３５】
この第２の切換スイッチ２４の他方の固定接点２４ｂを抵抗器２７を介して接地し、この第２の切換スイッチ２４の可動接点２４ｃを逆流防止用のダイオード２８を介して電圧−周波数変換回路４の入力端子に接続すると共にこの可動接点２４ｃをコンデンサ２９を介して接地する。
【００３６】
また、本例においては、調光信号入力端子１２に供給される調光信号を比較器を構成する演算増幅回路３０の一方の入力端子に供給すると共にこの演算増幅回路３０の他方の入力端子をフリッカーの影響のない周波数例えば２００Ｈｚののこぎり波発生器３１を介して接地し、この比較器の出力信号で第２の切換スイッチ２４の可動接点２４ｃを切換制御する如くする。
【００３７】
この場合、この調光信号とのこぎり波発生器３１よりののこぎり波で、例えば２００Ｈｚでの、放電管８の点灯時間と消灯時間とでのデューティーを決定する。即ち、のこぎり波発生器３１よりののこぎり波のレベルは比較器３０で比較するこの調光信号の輝度値の電圧レベルのデューティーが合うように調整する。例えば輝度７０％となる調光信号の電圧レベルに対し、第２の切換スイッチ２４の可動接点２４ｃが他方の固定接点２４ｂに接続されるデューティーが７０％となるようにする。
【００３８】
本例は上述の如く構成されているので、調光信号入力端子１２に供給される調光信号が輝度１００％〜７０％の電圧Ｖ１００〜Ｖ７０のときは、調光切換制御回路２３の出力信号により、第１の切換スイッチ２１の可動接点２１ｃは一方の固定接点２１ａに接続されると共に接続スイッチ２６はオンとされるので、第２の切換スイッチ２４の可動接点２４ｃの切換に関係なく、この調光信号が放電管電流エラーアンプ１１を構成する演算増幅回路１１ａの反転端子−にそのまま供給され、電圧−周波数変換回路４の出力側にこの調光信号に応じた周波数のスイッチング信号が得られ、この放電管８の輝度を１００％〜７０％に調光することができる。この場合、低温であっても何等関係なく調光することができる。
【００３９】
また調光信号が輝度７０％以下の電圧Ｖ７０以下となったときは、調光切換制御回路２３の出力信号により、第１の切換スイッチ２１の可動接点２１ｃは他方の固定接点２１ｂに接続されると共に接続スイッチ２６はオフとされ、輝度１００％の電圧Ｖ１００の電池２２よりの電圧を放電管電流エラーアンプ１１及びオア回路を構成するダイオード２０を介して電圧−周波数変換回路４の入力端子に供給されると共に第２の切換スイッチ２４の可動接点２４ｃに得られる電圧がオア回路を構成するダイオード２８を介して電圧−周波数変換回路４の入力端子に供給される。
【００４０】
即ち、点灯期間は放電管電流エラーアンプ１１よりの輝度１００％の電圧Ｖ１００がこの電圧−周波数変換回路４に供給され、この電圧−周波数変換回路４は定格電流（輝度１００％）を放電管８に流す周波数のスイッチング信号を発生し、消灯期間は電池２５よりの電圧ＶＮＬがこの電圧−周波数変換回路４に供給され、この電圧−周波数変換回路４は放電管８が放電維持できない電圧となる周波数のスイッチング信号を発生する。
【００４１】
従って、このときは調光信号入力端子１２に供給される調光信号の電圧に応じたデューティーで放電管８が例えば２００Ｈｚで点灯及び消灯を繰り返し、放電管８の輝度７０％〜３０％に調光することができる。この場合低温であっても何等関係なく調光できる。
【００４２】
本例は上述の如く動作するので、調光信号入力端子１２に供給される調光信号が図２Ａに示す如きときは、電圧−周波数変換回路４の入力端子に供給される電圧は図２Ｂに示す如くなり、また放電管８に流れる電流は図２Ｃに示す如くなる。
【００４３】
以上述べた如く本例によれば放電管８の輝度１００％〜７０％の調光を放電管８に供給する電圧を変えて行うと共に放電管８の輝度７０％以下の調光を放電管８に定格電流（輝度１００％）を流すと共に点灯を消灯のデューティーを変えて行っているので、本例によれば放電管８の輝度を例えば１００％〜３０％と広い範囲で調光することができる。
【００４４】
また本例においては点灯と消灯のデューティーを変えて調光するときに、放電管８に定格電流を流すスイッチング信号の周波数と、放電管８の供給電圧を下げて、放電維持が不可能になるスイッチング信号の周波数との２つの状態間を遷移させて実現し、その間の遷移幅を小さくし、遷移時間を小さくしているので、フリッカの影響のない例えば２００Ｈｚでの点灯と消灯とを繰り返すデューティー調光で輝度７０％以下での良好な調光ができる。
【００４５】
尚、本発明は、上述例に限ることなく、本発明の要旨を逸脱することなく、その他種々の構成が採り得ることは勿論である。
【００４６】
【発明の効果】
本発明によれば、放電管点灯装置において、第１及び第２のスイッチング素子に供給するスイッチング信号の周波数を変えて、この放電管に流れる電流を変えて調光する第１の調光手段を設けると共にこの放電管の点灯状態と消灯状態との時間的割合を変えて調光する第２の調光手段を設けたので、この放電管の輝度調整範囲を広げることができる利益がある。
【００４７】
また、本発明によれば、点灯と消灯のデューティーを変えて調光するときに、放電管に定格電流を流すスイッチング信号の周波数と、放電管への供給電圧を下げて、放電維持が不可能になるスイッチング信号の周波数との２つの状態間を遷移させるようにし、その間の遷移幅を小さくし、遷移時間を小さくしているので、フリッカの影響のない例えば２００Ｈｚでの点灯と消灯とを繰り返すデューティー調光で、輝度７０％以下での良好な調光ができる利益がある。
【図面の簡単な説明】
【図１】本発明放電管点灯装置の実施の形態の例を示す構成図である。
【図２】図１の説明に供する線図である。
【図３】従来の放電管点灯装置の例を示す構成図である。
【図４】直列共振回路の特性曲線の例を示す線図である。
【図５】従来の説明に供する線図である。
【図６】従来の説明に供する線図である。
【符号の説明】
１‥‥直流電源、２，３‥‥ＦＥＴ、４‥‥電圧−周波数変換回路、５‥‥ドライブ回路、６‥‥直列共振回路、６ａ‥‥コイル、６ｂ，７，２９‥‥コンデンサ、８‥‥放電管、９，２７‥‥抵抗器、１０‥‥放電管電流検出回路、１１‥‥放電管電流エラーアンプ、１２‥‥調光信号入力端子、２０，２８‥‥ダイオード、２１，２４‥‥切換スイッチ、２２，２３ｂ，２５‥‥電池、２３‥‥調光切換制御回路、２６‥‥接続スイッチ、３０‥‥比較器、３１‥‥のこぎり波発生器
【図１】
0004103170.tif 000002
【図２】
0004103170.tif 000003
【図３】
0004103170.tif 000004
【図４】
0004103170.tif 000005
【図５】
0004103170.tif 000006
【図６】
0004103170.tif 000007